(57)【特許請求の範囲】
【請求項１】
端部が屈曲した係止片部を対向位置に有する断面視Ｃ型の接合金具が接合端面に設けられ、該接合端面同士を突き合わせた状態にて、前記接合金具同士の間に、両側部に前記接合金具の前記係止片部間の係合空間に挿入されて係合する係合部が形成された連結金具を挿入することにより、該連結金具によって前記接合金具同士が接合されて互いに連結されるコンクリート構造物を製造する型枠であって、
底板と、該底板の周囲に設けられて前記コンクリート構造物の接合端面を形成する型枠板と、互いに対向する前記型枠板に設けられ前記接合金具を保持させる接合金具保持機構とを有し、これら底板及び型枠板によって囲われた空間が、コンクリート打設空間とされてなり、
前記接合金具保持機構は、前記接合金具に係合可能な係合保持部が形成された係合金具と、該係合金具を摺動させて、前記接合金具の係合空間へ前記係合保持部を挿抜させる摺動機構とを有し、
前記型枠板の所定位置に形成された開口部から挿入された前記接合金具の係合空間へ、前記摺動機構によって前記係合金具を移動させることにより前記係合金具の係合保持部を挿入して係合させて、前記接合金具を保持させることを特徴とする型枠。
【請求項２】
端部が屈曲した係止片部を対向位置に有する断面視Ｃ型の接合金具が一方の接合端面に設けられ、該接合金具の前記係止片部間の係合空間に挿入されて係合する係合部を有する雄金具が他方の接合端面に設けられ、一方の接合端面の接合金具の係合空間へ他方の接合端面の雄金具の係合部を挿入することにより、これら接合金具と雄金具とが接合されて互いに連結されるコンクリート構造物を製造する型枠であって、
底板と、該底板の周囲に設けられて前記コンクリート構造物の接合端面を形成する型枠板と、互いに対向する前記型枠板の一方の型枠板に設けられ前記接合金具を保持させる接合金具保持機構と、他方の型枠板に設けられ前記雄金具を保持させる雄金具保持機構とを有し、これら底板及び型枠板によって囲われた空間が、コンクリート打設空間とされてなり、
前記接合金具保持機構は、前記接合金具に係合可能な係合保持部が形成された係合金具と、該係合金具を摺動させて、前記接合金具の係合空間へ前記係合保持部を挿抜させる摺動機構とを有し、
前記雄金具保持機構は、前記雄金具の係合部が係合される係合保持空間が形成された係合金具と、該係合金具を摺動させて、前記雄金具の係合部を前記係合金具の係合保持空間へ挿抜させる摺動機構とを有し、
一方の型枠板では、所定位置に形成された開口部から挿入された前記接合金具の係合空間へ、前記摺動機構によって前記係合金具を移動させることにより前記係合金具の係合保持部を挿入して係合させて、前記接合金具を保持させ、
他方の型枠板では、所定位置に形成された開口部から挿入された前記雄金具の係合部を、前記摺動機構によって前記係合金具を移動させることにより前記係合金具の係合保持空間に挿入させて係合させて、前記雄金具を保持させることを特徴とする型枠。
【請求項３】
前記摺動機構は、前記係合金具を摺動可能に保持するガイド金具と、前記係合金具に形成されたねじ孔にねじ込まれ、回動されることにより前記係合金具へのねじ込み量に応じて前記係合金具を摺動させるボールスクリューとを有することを特徴とする請求項１または請求項２記載の型枠。
【発明の詳細な説明】
【０００１】
【発明の属する技術分野】
この発明は、互いに接合されることにより、トンネル壁体や路面等を構築するプレキャスト製のコンクリート構造物を製造する型枠に関するものである。
【０００２】
【従来の技術】
トンネルを構築し得る方法としては、掘削穴の内面側にセグメント（主にコンクリート製あるいはスチール製）を組み立てて筒状壁体を構築する、いわゆるシールド工法が一般的である。
このシールド工法に用いられるセグメントとしては平面視長方形状で円弧版状のものが主流であり、これらセグメント同士をボルトによって接合していた。
このボルトでセグメント同士を接合する構造としては、セグメントの接合面同士を当接させた際に、互いに連通する孔部を有する継手板を埋め込んでおき、これら継手板の孔部へボルトを挿通させ、このボルトへナットを締結させて接合させる構造が一般的である。また、相互のセグメントにナット部材であるインサート金具を埋め込んでおき、隣接するセグメントに貫通させたボルトを締結させて互いに接合させる構造もある。
【０００３】
しかしながら、上記構造では、構築現場にて継手の接合面に形成された孔部へボルトを挿通させ、このボルトへナットを締結させたり、相互のセグメントに埋め込んだインサート金具へボルトを締結させるという極めて煩雑な作業を要するため組立時間の短縮には限界があり、また、ロボットによる自動組み付けへの適応が困難であった。
さらには、二次覆工を省略する場合にもボルト・ナットを取り付けるためにセグメントに形成したボルトボックスの閉塞作業を行わなければならず、施工の高速化、省力化を目指す上で新たな継手構造の開発が急務となっているのが現状であった。
【０００４】
ここで、本発明者らは、極めて容易に接合することができ、しかも、内面側が平滑なセグメントを開発した。
図８及び図９に示すように、このセグメント１には、その接合端面１ａに、接合溝部２が形成されており、この接合溝部２には、複数の断面視Ｃ型の接合金具３が設けられ、これら接合金具３同士が、それぞれＩ型の連結金具４によって互いに連結されるようになっている。
接合金具３は、対向位置に係止片部５を有する鉤形の係止部６が設けられたもので、係止片部５同士によって形成された空間が連結金具４の係合部７が係合する係合空間８とされている。
【０００５】
また、係止片部５の内面からなる係止面９は、連結金具４の挿入方向へ向かって狭まるテーパ面とされている。つまり、セグメント１の接合端面１ａ同士を突き合わせた状態にて、互いに対向する接合金具３の係止面９が、連結金具４の挿入方向後方へ向かって次第に近接するテーパ面とされている。
【０００６】
そして、上記セグメント１同士を接合させる場合は、まず、これらセグメント１の接合端面１ａ同士を互いに当接させ、接合溝２同士からなる挿入穴内へ連結金具４を挿入する。
このようにすると、連結金具４の係合部７のテーパ面からなる係合面１０が接合金具３の係止片部５のテーパ面からなる係止面９に当接してスライドすることにより、それぞれの接合金具３同士が互いに引き寄せられ、これにより、互いのセグメント１同士が接合される。
なお、奥側の接合金具３同士を接合させる連結金具４は、その係合部７が、手前側の接合金具３の係合空間８内を通過するように形成されている。
また、図中符号１１は、セグメント１を形成するコンクリートとの一体化を図るために設けられたアンカーである。
【０００７】
【発明が解決しようとする課題】
ところで、上記接合構造を有するセグメント１や他のプレキャストコンクリート構造物等を製造する場合、接合金具３を型枠に保持させる必要があるが、従来、この接合金具３を精度良くかつ容易に支持させることができる型枠がなく、このため、この接合構造を有するセグメント１等のコンクリート構造物を容易に製造することができなかった。
【０００８】
この発明は、上記事情に鑑みてなされたもので、接合端面に継手が設けられた内面平滑なコンクリート構造物を容易に製造することが可能な型枠を提供することを目的としている。
【０００９】
【課題を解決するための手段】
上記目的を達成するために、請求項１記載の型枠は、端部が屈曲した係止片部を対向位置に有する断面視Ｃ型の接合金具が接合端面に設けられ、該接合端面同士を突き合わせた状態にて、前記接合金具同士の間に、両側部に前記接合金具の前記係止片部間の係合空間に挿入されて係合する係合部が形成された連結金具を挿入することにより、該連結金具によって前記接合金具同士が接合されて互いに連結されるコンクリート構造物を製造する型枠であって、底板と、該底板の周囲に設けられて前記コンクリート構造物の接合端面を形成する型枠板と、互いに対向する前記型枠板に設けられ前記接合金具を保持させる接合金具保持機構とを有し、これら底板及び型枠板によって囲われた空間が、コンクリート打設空間とされてなり、前記接合金具保持機構は、前記接合金具に係合可能な係合保持部が形成された係合金具と、該係合金具を摺動させて、前記接合金具の係合空間へ前記係合保持部を挿抜させる摺動機構とを有し、前記型枠板の所定位置に形成された開口部から挿入された前記接合金具の係合空間へ、前記摺動機構によって前記係合金具を移動させることにより前記係合金具の係合保持部を挿入して係合させて、前記接合金具を保持させることを特徴としている。
【００１０】
これにより、接合金具を端板の開口部へ挿入して配置させた状態にて、接合金具保持機構の摺動機構によって係合金具を移動させて、この係合金具の係合保持部を接合金具の係合空間内へ挿入させて係合させることにより、この接合金具が型枠板へ保持される。
また、コンクリート打設空間へ打設したコンクリートの硬化後においては、接合金具保持機構の摺動機構によって係合金具を逆方向へ摺動させることにより、係合金具の係合保持部が接合金具の係合空間から抜き出されて、係合金具による接合金具の係合が解除される。
【００１１】
請求項２記載の型枠は、端部が屈曲した係止片部を対向位置に有する断面視Ｃ型の接合金具が一方の接合端面に設けられ、該接合金具の前記係止片部間の係合空間に挿入されて係合する係合部を有する雄金具が他方の接合端面に設けられ、一方の接合端面の接合金具の係合空間へ他方の接合端面の雄金具の係合部を挿入することにより、これら接合金具と雄金具とが接合されて互いに連結されるコンクリート構造物を製造する型枠であって、底板と、該底板の周囲に設けられて前記コンクリート構造物の接合端面を形成する型枠板と、互いに対向する前記型枠板の一方の型枠板に設けられ前記接合金具を保持させる接合金具保持機構と、他方の型枠板に設けられ前記雄金具を保持させる雄金具保持機構とを有し、これら底板及び型枠板によって囲われた空間が、コンクリート打設空間とされてなり、前記接合金具保持機構は、前記接合金具に係合可能な係合保持部が形成された係合金具と、該係合金具を摺動させて、前記接合金具の係合空間へ前記係合保持部を挿抜させる摺動機構とを有し、前記雄金具保持機構は、前記雄金具の係合部が係合される係合保持空間が形成された係合金具と、該係合金具を摺動させて、前記雄金具の係合部を前記係合金具の係合保持空間へ挿抜させる摺動機構とを有し、一方の型枠板では、所定位置に形成された開口部から挿入された前記接合金具の係合空間へ、前記摺動機構によって前記係合金具を移動させることにより前記係合金具の係合保持部を挿入して係合させて、前記接合金具を保持させ、他方の型枠板では、所定位置に形成された開口部から挿入された前記雄金具の係合部を、前記摺動機構によって前記係合金具を移動させることにより前記係合金具の係合保持空間に挿入させて係合させて、前記雄金具を保持させることを特徴としている。
【００１２】
これにより、互いに対向する型枠板の一方の型枠板に接合金具を保持させる場合は、接合金具を型枠板の開口部へ挿入して配置させた状態にて、接合金具保持機構の摺動機構によって係合金具を移動させて、この係合金具の係合保持部を接合金具の係合空間内へ挿入させて係合させることにより、この接合金具が一方の型枠板へ保持される。
また、他方の型枠板に雄金具を保持させる場合は、雄金具を型枠板の開口部へ挿入して配置させた状態にて、雄金具保持機構の摺動機構によって係合金具を移動させて、この係合金具の係合保持空間に雄金具の係合部を挿入させて係合させることにより、この雄金具が他方の型枠板へ保持される。
また、コンクリート打設空間へ打設したコンクリートの硬化後においては、接合金具保持機構及び雄金具保持機構の摺動機構によって係合金具を逆方向へ摺動させることにより、それぞれの係合金具による接合金具及び雄金具の係合が解除される。
【００１３】
請求項３記載の型枠は、請求項１または請求項２記載の型枠において、前記摺動機構が、前記係合金具を摺動可能に保持するガイド金具と、前記係合金具に形成されたねじ孔にねじ込まれ、回動されることにより前記係合金具へのねじ込み量に応じて前記係合金具を摺動させるボールスクリューとを有することを特徴としている。
つまり、ボールスクリューを回動させることにより、ガイド金具によって摺動可能に支持された係合金具が摺動されて、接合金具あるいは雄金具の型枠板への保持及び保持の解除が行われる。
【００１４】
【発明の実施の形態】
以下、本発明の実施の形態の型枠を図によって説明する。なお、従来技術と同一構造部分には、同一符号を付して説明を省略する。
また、この実施の形態では、コンクリート構造物としてトンネル壁体を構成する前述したセグメント１を例にとって、このセグメント１を製造する型枠を説明する。
図１において、符号２１は、型枠である。この型枠２１は、セグメント（コンクリート構造物）１の内周面を形成する底板２２と、この底板２２の両側部に設けられた円弧状の側板（型枠板）２３と、これら側板２３の両端をつなぐ端板（型枠板）２４とから概略構成されており、端板２４に、接合金具３が保持されている。
【００１５】
そして、これら底板２２、側板２３及び端板２４から形成される空間部分がコンクリート打設空間Ｓとされ、このコンクリート打設空間Ｓが、成形すべき円弧版状に即したものとされている。
なお、側板２３及び端板２４はそれぞれ底板２２に対してコンクリート打設空間Ｓ側の面が垂直にされており、また、側板２３及び端板２４は、それぞれ互いに離間する方向へ移動可能とされている。
【００１６】
この型枠２１のコンクリート打設空間Ｓ内にコンクリートを打設することにより、底板２２によって内周面が形成され、側板２３、端板２４によって各接合端面が形成されたセグメント１が製造されるようになっている。
【００１７】
次に、端板２４への接合金具３の保持構造について説明する。
端板２４には、接合金具３をそれぞれ保持する接合金具保持機構３１が設けられている。
図２及び図３に示すように、接合金具保持機構３１は、端板２４の外側における底部のベース板３２に固定されたガイド金具３３と、このガイド金具３３に保持された係合金具３４と、この係合金具３４に形成されたねじ孔３５にねじ込まれたボールスクリュー３６とを有しており、ガイド金具３３とボールスクリュー３６とから、係合金具３４を摺動させる摺動機構が構成されている。
【００１８】
ガイド金具３３には、その上部に保持部３７を有しており、この保持部３７には、長手方向へ摺動孔３７ａが形成されている。また、この保持部３７には、一側部に、長手方向へわたってスリット３７ｂが形成されている。
そして、この保持部３７に形成された摺動孔３７ａに、係合金具３４に形成された前記ねじ孔３５を有する円筒部３４ａが摺動可能に保持され、スリット３７ｂから突出されている。
【００１９】
係合金具３４は、スリット３７ｂからの突出側に、係合保持部４１が形成されている。この係合保持部４１は、接合金具３の係合空間８内に挿入されるもので、連結金具４の係合部７と略同一形状に形成されている。つまり、この係合保持部４１には、接合金具３の係止片部５の内面からなる係止面９に係合する係合面４２を有している。
【００２０】
また、端板２４には、セグメント１の接合端面１ａに溝部２を形成する凸部４３が形成されている。この凸部４３には、切欠部（開口部）４４が形成されており、この切欠部４４に接合金具３が、コンクリート打設空間Ｓ側から挿入されて配置されるようになっている。
【００２１】
そして、上記接合金具保持機構３１は、ボールスクリュー３６を回動させることにより、このボールスクリュー３６のねじ込み量に応じて係合金具３４が摺動し、凸部４３の切欠部４４に配置される接合金具３の配置位置と、この配置位置から外れた位置との間を移動するようになっている。
【００２２】
なお、ボールスクリュー３６は、端板２４の両側部に、端板２４と直交させて設けられた側壁板２４ａに回動可能に支持されている。また、ボールスクリュー３６は、側板２３の両端部に、端板２４の移動方向に沿う長孔２３ａに挿通されている。つまり、セグメント１の型枠２１からの脱型時において、側板２３同士及び端板２４同士が互いに離間する方向へ移動した際に、ボールスクリュー３６が側板２３と干渉しないようになっている。
【００２３】
次に、上記構造の型枠２１によってセグメント１を製造する場合について説明する。
まず、端板２４に形成された凸部４３の切欠部４４からなる配置位置へ接合金具３を配置させる。ここで、この接合金具３を配置させる際に、接合金具保持機構３１の係合金具３４を、配置位置から外れた位置に移動させておく。
次いで、各接合金具保持機構３１のボールスクリュー３６を回動させて、各係合金具３４を接合金具３側へ移動させる。
【００２４】
このようにすると、この係合金具３４の係合保持部４１が、接合金具３の係合空間８内に入り込み、接合金具３が係合金具３４によって係合されて保持される。
上記のように、端板２４に接合金具３を保持させたら、型枠２１のコンクリート打設空間Ｓ内に鉄筋を配設し、コンクリートを打設する。
その後、コンクリートが硬化したら、接合金具保持機構３１のボールスクリュー３６を逆転させる。
【００２５】
このようにすると、接合金具保持機構３１の係合金具３４が接合金具３の配置位置から外れた位置へ移動し、接合金具３への係合が解除される。
この状態にて、側板２３、端板２４を、セグメント１から引き離し、セグメント１を上方へ吊り上げて、型枠２１から脱型する。
上記の作業を行うことにより、各接合端面１ａに、接合金具３が定位置に配置されたセグメント１が成形される。
【００２６】
以上、説明したように、上記型枠２１によれば、接合金具３を端板２４の凸部４３に形成された切欠部４４からなる配置位置へ配置させた状態にて、接合金具保持機構３１のボールスクリュー３６を回動させることにより、極めて容易に、ガイド金具３３に摺動可能に保持された係合金具３４を移動させて、この係合金具３４の係合保持部４１を接合金具３の係合空間８内へ挿入させて係合させ、この接合金具３を端板２４へ保持させることができる。
【００２７】
また、コンクリート打設空間Ｓへ打設したコンクリートの硬化後においては、接合金具保持機構３１のボールスクリュー３６を逆転させることにより、極めて容易に、係合金具３４を、接合金具３の配置位置から外れた位置へ移動させて、係合金具３４の係合保持部４１を接合金具３の係合空間８から抜き出させて、係合金具３４による接合金具３の係合を解除させることができる。
つまり、接合端面１ａに、連結金具４によって互いに接合可能な接合金具３が所定位置に設けられたセグメント１を極めて容易に製造することができる。
【００２８】
図４に示すものは、他の実施の形態の型枠２１である。
この型枠２１によって製造されるセグメント１は、図５に示すように、一方側の接合端面１ａに接合金具３が設けられ、他方側の接合端面１ａに、雄金具５１が設けられたもので、他方の接合端面１ａの雄金具５１を他のセグメント１の一方の接合金具３へ係合させることにより、互いのセグメント１同士が接合されるようになっている。
つまり、雄金具５１には、その先端部分に、連結金具４の係合部７と同様の係合部５２が形成されており、この係合部５２を、接合金具３の係合空間８内へ挿入することにより、接合金具３に雄金具５１が係合するようになっている。
【００２９】
この構造のセグメント１を製造する型枠２１は、一方側の端板２４に、前記接合金具保持機構３１が設けられ、他方側の端板２４に、雄金具５１を保持させる雄金具保持機構５３が設けられている。
この雄金具保持機構５３は、図６及び図７に示すように、前記ガイド金具３３と、このガイド金具３３に保持された雄金具用の係合金具５４と、この係合金具５４に形成されたねじ孔３５にねじ込まれたボールスクリュー３６とを有しており、前述したように、ガイド金具３３とボールスクリュー３６とから係合金具５４を摺動させる摺動機構が構成されている。
【００３０】
係合金具５４は、ガイド金具３３のスリット３７ｂからの突出側に、係止部６１が形成されている。この係止部６１は、雄金具５１の係合部５２が挿入される係合保持空間６２を有するもので、接合金具３の係止部６と略同一形状に形成されている。つまり、この係止部６１には、雄金具５１の係合部５２の係合面５５に係合する係止面６３を有する係止片部６４が形成されている。
【００３１】
また、雄金具５１が保持される端板２４には、挿入孔（開口部）６６が形成されており、この挿入孔６６から雄金具５１を挿入することができるようになっている。そして、この挿入孔６６へコンクリート打設空間Ｓ側から雄金具５１を挿入した状態にて、雄金具５１が所定位置に配置される。
なお、図中符号５６は、雄金具５１を、セグメント１のコンクリートへ確実に定着させるためのアンカーである。
【００３２】
そして、上記雄金具保持機構５３は、ボールスクリュー３６を回動させることにより、係合金具５４が摺動し、挿入孔６６に挿入される雄金具５１の配置位置と、この配置位置から外れた位置との間を移動するようになっている。
上記構造の雄金具保持機構５３によって雄金具５１を端板２４に保持させる場合は、端板２４に形成された挿入孔６６へ雄金具５１を挿入して所定位置に配置させた状態にて、雄金具保持機構５３のボールスクリュー３６を回動させて、係合金具５４を雄金具５１側へ移動させる。
【００３３】
このようにすると、この係合金具５４の係合保持空間６２に、雄金具５１の係合部５２が入り込むこととなり、雄金具５１が係合金具５４によって係合されて保持され、コンクリート打設空間Ｓへのコンクリートの打設が可能となる。
なお、雄金具５１が挿入される端板２４の挿入孔６６には、打設したコンクリートが漏出しないように、内面側にて塞いでおく。
また、上記の例では、端板２４によって形成される接合端面１ａに接合金具３あるいは雄金具５１を配設する場合について説明したが、側板２３によって形成される接合端面に接合金具３あるいは雄金具５１を配設する場合には、側板２３に接合金具保持機構３１あるいは雄金具保持機構５３を設ければ良い。
【００３４】
【発明の効果】
以上、説明したように、本発明の型枠によれば、下記の効果を得ることができる。
請求項１記載の型枠によれば、接合金具を互いに対向する型枠板の開口部へ挿入して配置させた状態にて、接合金具保持機構の摺動機構によって係合金具を移動させて、この係合金具の係合保持部を接合金具の係合空間内へ挿入させて係合させることにより、極めて容易に、この接合金具を端板へ保持させることができる。
また、コンクリート打設空間へ打設したコンクリートの硬化後においては、接合金具保持機構の摺動機構によって係合金具を逆方向へ摺動させることにより、極めて容易に、係合金具の係合保持部を接合金具の係合空間から抜き出させて、係合金具による接合金具の係合を解除させることができる。
つまり、接合端面に、連結金具によって互いに接合可能な接合金具が所定位置に設けられたコンクリート構造物を極めて容易に製造することができる。
【００３５】
請求項２記載の型枠によれば、互いに対向する型枠板のうちの一方の型枠板に接合金具を保持させる場合は、接合金具を型枠板の開口部へ挿入して配置させた状態にて、接合金具保持機構の摺動機構によって係合金具を移動させて、この係合金具の係合保持部を接合金具の係合空間内へ挿入させて係合させることにより、極めて容易に、この接合金具を一方の型枠板へ保持させることができる。
また、他方の型枠板に雄金具を保持させる場合は、雄金具を型枠板の開口部へ挿入して配置させた状態にて、雄金具保持機構の摺動機構によって係合金具を移動させて、この係合金具の係合保持空間に雄金具の係合部を挿入させて係合させることにより、極めて容易に、この雄金具を他方の型枠板へ保持させることができる。
また、コンクリート打設空間へ打設したコンクリートの硬化後においては、接合金具保持機構及び雄金具保持機構の摺動機構によって係合金具を逆方向へ摺動させることにより、極めて容易に、係合金具による接合金具及び雄金具の係合を解除させることができる。
つまり、一方側の接合端面の所定位置に接合金具が設けられ、他方側の接合端面の所定位置に接合金具へ係合可能な雄金具が設けられたコンクリート構造物を極めて容易に製造することができる。
【００３６】
請求項３記載の型枠によれば、ボールスクリューを回動させることにより、ガイド金具によって摺動可能に支持された係合金具を、極めて容易に摺動させて、接合金具あるいは雄金具の端板への保持及び保持の解除を行うことができる。
【図面の簡単な説明】
【図１】  本発明の実施の形態の型枠の構成及び構造を説明する型枠の平面図である。
【図２】  本発明の実施の形態の型枠に設けられた接合金具保持機構を説明する接合金具保持機構及びその周辺の横断面図である。
【図３】  本発明の実施の形態の型枠に設けられた接合金具保持機構を説明する接合金具保持機構及びその周辺の縦断面図である。
【図４】  本発明の他の実施の形態の型枠の構成及び構造を説明する型枠の平面図である。
【図５】  本発明の他の実施の形態の型枠によって製造されるコンクリート構造物であるセグメントを説明するセグメントの互いに接合される接合端面部分の斜視図である。
【図６】  本発明の他の実施の形態の型枠に設けられた雄金具保持機構を説明する雄金具保持機構及びその周辺の横断面図である。
【図７】  本発明の他の実施の形態の型枠に設けられた雄金具保持機構を説明する雄金具保持機構及びその周辺の縦断面図である。
【図８】  接合金具を有するセグメント及び接合金具に係合される連結金具の斜視図である。
【図９】  接合金具を有するセグメント及び接合金具に係合される連結金具の断面図である。
【符号の説明】
１  セグメント（コンクリート構造物）
１ａ  接合端面
３  接合金具
４  連結金具
５  係止片部
７  係合部
８  係合空間
２１  型枠
２２  底板
２３  側板（型枠板）
２４  端板（型枠板）
３１  接合金具保持機構
３３  ガイド金具
３４  係合金具
３５  ねじ孔
３６  ボールスクリュー
４１  係合保持部
４４  切欠部（開口部）
５１  雄金具
５２  係合部
５３  雄金具保持機構
５４  係合金具
６２  係合保持空間
６６  挿入孔（開口部）
Ｓ  コンクリート打設空間
【図１】
0004169837.tif 000002
【図２】
0004169837.tif 000003
【図３】
0004169837.tif 000004
【図４】
0004169837.tif 000005
【図５】
0004169837.tif 000006
【図６】
0004169837.tif 000007
【図７】
0004169837.tif 000008
【図８】
0004169837.tif 000009
【図９】
0004169837.tif 000010